(57)【要約】【課題】湿布剤の水分の蒸発や成分の揮発を防止することができ、しかも、使用者が、容易に湿布剤を出し入れすることが可能で、しかも湿布剤の形状の安定化を図ることが可能な横型包装用袋体を提供する。【解決手段】本包装用袋体１は、湿布剤を封入するための一対の長辺側１１および短辺側１２を備え、外側から内側に向って、紙層３１、プラスチックフィルム層３２、アルミニウム箔層３３、プラスチックフィルム層３４の順に積層された複合ラミネートフィルムから構成される。本包装用袋体１には、開封可能なジップ２が長辺側１１の一方に設けられている。【選択図】      図１
2004352297.tif 000002
【特許請求の範囲】
【請求項１】
湿布剤を封入するための一対の長辺側および短辺側を備えた包装用袋体であって、外側から内側に向って、紙層、プラスチックフィルム層、アルミニウム箔層、プラスチックフィルム層の順に積層された複合ラミネートフィルムから構成され、開封可能なジップが長辺側の一方に設けられたことを特徴とする横型包装用袋体。
【請求項２】
ジップの長さが、１４ｃｍ〜２０ｃｍであることを特徴とする請求項１記載の横型包装用袋体。
【請求項３】
袋体内部のジップからの深さが、１２ｃｍ〜１５ｃｍであることを特徴とする請求項１または２記載の横型包装用袋体。
【請求項４】
複合ラミネートフィルムの厚みが、５０〜２５０μｍであることを特徴とする請求項１〜３のいずれかに記載の横型包装用袋体。
【請求項５】
横型包装用袋体の内部面積と封入される湿布剤との面積比が、（１．５〜２）：１であることを特徴とする請求項１〜４のいずれかに記載の横型包装用袋体。
【請求項６】
１〜８枚の湿布剤を封入することが可能な請求項１〜５のいずれかに記載の横型包装用袋体。
【発明の詳細な説明】
【０００１】
【発明の属する技術分野】
本発明は、横型包装用袋体に関する。さらに詳しく言うと、本発明は、ジップにより開封可能な開口部が長辺側の一方に設けられた、湿布剤を封入するための横型包装用袋体に関する。
【０００２】
【従来の技術】
従来より、湿布剤、テープ剤、プラスター剤等の経皮投与製剤の包装用袋体は、開口部が短辺側に設けられた縦型のものが用いられていた。
しかしながら、近年開発された伸縮性を有する湿布剤を縦型の包装用袋体に封入すると、湿布剤の出し入れによって製剤が変形し、湿布剤の形状の安定化が図れない等の問題が生じる。特に、伸縮性を有する湿布剤は、その材質がやわらかいので、縦型の包装用袋体に封入すると、使用者が１枚毎の取り出しに失敗して複数枚取り出した場合等に、残りの湿布剤を袋体に戻すとき、湿布剤が変形したり皺が寄って袋体に戻しにくくなることが多い。
従来、経皮投与製剤の包装用袋体として縦型のものが用いられていたのは、開封用ジップの長さが短くてすみ、コストが安くつくということのほか、開口部をできるだけ小さくすることにより、水分の乾燥や配合成分の揮発を防止できるという理由からであった。
実質的に非水系の製剤であるテープ剤の包装用袋体としては、横型タイプの袋体が知られている。例えば、テープ剤である久光製薬株式会社製の「モーラステープＬ」の包装用袋体は横型とされている。
しかしながら、湿布剤の包装用袋体には、横型のものは未だない。
【０００３】
【発明が解決しようとする課題】
上記したように、縦型の包装用袋体の場合、一度複数枚の湿布剤を取り出したあと、余った湿布剤を袋体へ戻そうとすると、湿布剤が変形したり皺が寄ったりして、湿布剤の形状の安定化が図れないなどの問題が生じていた。
また、湿布剤は水分を多く含むため、水分の蒸発や配合成分の揮発を防止するためには、できるだけ開口部を小さくすべきであると考えられていたが、一度開封したら連続的に製剤を貼付し、１週間程度で一袋を使い切ってしまうことが多い。このため、開封した袋体を長期に使用することはあまりなく、水分の蒸発や配合成分の揮発をそれほど心配する必要もないと考えられる。
さらに、伸縮性湿布剤の保護フィルムの短辺間の中央部に切り込みを設け、保護フィルムが浮くまで湿布剤を左右に引張って保護フィルムをはがすものでは、縦型包装用袋体の場合、この保護フィルムの切り込みが湿布剤の出し入れ時に袋体または他の湿布剤にひっかかり、湿布剤の出し入れが思うようにいかない場合がある。
したがって、本発明は、湿布剤の水分の蒸発や成分の揮発を防止することができ、しかも、使用者が、容易に湿布剤を出し入れすることが可能で、しかも湿布剤の形状の安定化を図ることが可能な横型包装用袋体を提供することを課題とするものである。
【０００４】
【課題を解決するための手段】
本発明者らは上記の横長包装用袋体を開発するために研究を重ねた結果、一定の層構造を有する複合ラミネートフィルムによって構成し、開口面積が所定の大きさとなるようにし、さらに、複合ラミネートフィルムの厚みや袋体の内部面積と湿布剤の面積比を調整とすることなどにより、上記の課題を解決することを見出し、本発明を完成させた。
【０００５】
すなわち、本発明は、湿布剤を封入するための一対の長辺側および短辺側を備えた包装用袋体であって、外側から内側に向って、紙層、プラスチックフィルム層、アルミニウム箔層、プラスチックフィルム層の順に積層された複合ラミネートフィルムから構成され、開封可能なジップが長辺側の一方に設けられたことを特徴とする横型包装用袋体である。
ここで、ジップの長さは、１４ｃｍ〜２０ｃｍとすることができる。また、袋体内部のジップからの深さは、１２ｃｍ〜１５ｃｍとすることができる。複合ラミネートフィルムの厚みは、５０〜２５０μｍとすることができる。横型包装用袋体の内部面積と封入される湿布剤との面積比は、（１．５〜２）：１とすることができる。本発明の横型包装用袋体には１〜８枚の湿布剤を封入することが可能とされる。
【０００６】
【発明の実施の形態】
以下、図面を参照しながら、本発明を詳しく説明する。
図１は、本発明に係る横型包装用袋体の一実施例を示す正面図である。
図１に示されるように、本発明の横型包装用袋体１は、一対の長辺側１１と一対の短辺側１２を有する矩形の形状を有しており、長辺側の一方の幅方向にジップ２および引裂予定部４が設けられている。包装用袋体１の周囲はシール部１３を有することが好ましい。ジップ２より内側の内部平面の面積（内部面積）Ｂの部分に湿布剤が封入される。
【０００７】
ジップ２は、係合突起及び係合凹部からなる再開閉可能な咬合具を言い、チャック、スライドファスナー、ジッパー等のいずれの種類のものであってもよく、材質も特に限定されないが、プラスチック製のものが好ましい。
【０００８】
図２は、本発明に係る横型包装用袋体に封入される湿布剤の一例を示す正面図である。
保護フィルム（ライナー）付きの湿布剤５０は、一対の長辺側５１と一対の短辺側５２を有する矩形の形状を有する。湿布剤平面の面積Ｃは上述の袋体の内部面積Ｂより小さい。
湿布剤５０は伸縮性を有し、材質がやわらかいので、従来の縦型袋体に封入した場合、上述のように一度取り出すと再び袋体に戻しにくくなるが、本願発明のような横型包装用袋体に封入した場合は、ジップ部分が長く袋体の開口部に容易に手が入るので、湿布剤を一度取り出しても再び袋体に戻しやすい。
また、図示のように、伸縮性湿布剤の保護フィルムの短辺間の中央部に切り込み５３が設けられている場合、使用時に保護フィルムが浮くまで湿布剤を左右に引張って保護フィルムをはがすことにより、湿布剤を容易に患部に適用できる。この場合、本発明の横型包装用袋体によれば、保護フィルムの切り込み５３の方向に湿布剤を出し入れすることになるので、湿布剤の出し入れ時に保護フィルムが袋体または他の湿布剤にひっかかりにくく、従来の縦型袋体とは異なり、湿布剤の出し入れが容易となる。
【０００９】
図３（ａ）は、本発明に係る包装用袋体のジップを開いた状態を示す斜視図である。
包装用袋体１のジップ２を開いたときに生じる開口部の開口面積Ａは、５０ｃｍ２〜１２０ｃｍ２であることが好ましい。開口面積Ａがこの範囲であると、人間の大人の手でも入り、湿布剤５０を容易に取り出すことができる。これに対して、開口部の開口面積Ａが５０ｃｍ２未満となると、人間の大人の手が入りにくくなり、湿布剤５０の出し入れが不便となるので好ましくない。一方、開口面積Ａが１２０ｃｍ２を超えると、開口部が不必要に大きくなりすぎ、湿布剤に含まれる水分が蒸発したり、成分が揮発しやすくなるので好ましくない。このような開口面積を確保するためには、ジップの長さは１４ｃｍ〜２０ｃｍ、好ましくは１５ｃｍ〜１９ｃｍ、さらに好ましくは１６ｃｍ〜１８ｃｍとされる。一方、袋体内部のジップからの深さは１２ｃｍ〜１５ｃｍ、好ましくは１３ｃｍ〜１４ｃｍとされる。袋体内部の深さをこのようにすることにより、人の手の指先が袋体内部の底部に届き、かつ手のひらの途中まで袋体内部に入れることができるので、やわらかい湿布剤の出し入れが極めて容易となる。
【００１０】
図３（ｂ）は、図３（ａ）の包装用袋体のＸ−Ｘ断面図である。
本発明の包装用袋体１は、外側面から内側面に向って、紙層３１、プラスチックフィルム層３２、アルミニウム層３３、プラスチックフィルム層３４の順に積層された層構造を有する複合ラミネートフィルムからなることが望ましい。
湿布剤の包装用袋体は、湿布剤が含水製剤であり、揮発性成分を含有するものが多いこと等を考慮すると、この組合せが最も望ましい。しかしながら、これらの層構造を基本として、その他の層を有するものであってもよい。このような複合ラミネートフィルムにより構成されることにより、湿布剤の水分が蒸発したり、配合成分が揮発することも防止される。
なお、複合ラミネートフィルムの全体の厚みは、特に限定されないが、５０〜２５０μｍ程度であることが好ましく、特に１００〜１５０μｍ程度とすることが好ましい。
複合ラミネートフィルムの厚みが５０μｍ未満となると、袋体が破損しやすくなったり、袋を開封した際の開口安定性が悪くなるので好ましくない。一方、厚みが２５０μｍを超えると、袋体が重くなりすぎたり、ジップ２を開けるのに余分な力が必要になるので好ましくない。
なお、複合ラミネートフィルムを構成する各層の厚みは、特に限定されないが、例えば、紙層は２０〜２００μｍ、特に５０〜１００μｍ程度が好ましく、各プラスチックフィルム層は１０〜１００μｍ、特に１０〜３０μｍ程度が好ましく、アルミニウム層は４〜３０μｍ、特に７〜１０μｍ程度が好ましい。
なお、複合ラミネートフィルムの製造方法は特に限定されず、例えば、ドライラミネーション法、ウェットラミネーション法、ホットメルトラミネーション法、エクストルージョンラミネーション法などの慣用のいずれの方法によっても製造することができる。
【００１１】
また、本発明の包装用袋体１の内部面積Ｂと封入される湿布剤５０の面積Ｃとの面積比は、（１．５〜２）：１であることが好ましい。この面積比が１．５：１より小さくなると、袋体１の内部と湿布剤５０との間の余裕がなくなり、湿布剤の取り出しが困難になる。また、この面積比が２：１より大きくなると、湿布剤と袋体との間の空間が大きくなりすぎ、湿布剤に含まれる水分が蒸発したり配合成分が揮発しやすくなるので好ましくない。
また、本発明の包装用袋体１の内部には、湿布剤５０を１〜８枚程度、特に５〜８枚程度封入することが好ましい。
【００１２】
なお、包装用袋体１のジップ２の上方には、引裂予定部４を設けることができる。引裂予定部４には、引裂用破線を設けてもよく、破線の形状はいずれの種類のものであってもよい。例えば、ミシン目状の破線や、特開２００１−９７３９６号公報に開示されているような形状のものであってもよい。
また、引裂予定部４の近傍には、その位置を消費者が容易に認識できるようにガイド線を設けてもよい。ガイド線は、引裂予定部４を示すことができるものであればいずれの種類のものでもよく、例えば、印刷等の手段により設けることができる。ガイド線の形状は特に限定されず、ミシン目様に破線を施したものや、実線のほか、円形または楕円形を直線に沿って一定間隔で記したもの等が例として挙げられる。また、引裂用破線を設けず、単にガイド線のみを設けて、はさみなどの切断手段で開けるようにしてもよい。
なお、本発明の横型包装用袋体は、上記した特徴を有すること以外は、いかなる形状や構成を有してもよく、慣用の製造方法により製造することができる。
【００１３】
【発明の効果】
本発明の横型包装用袋体を用いれば、従来の縦型包装用袋体よりも使用者が容易に出し入れすることができ、前記湿布剤の出し入れにより皺が寄ったり変形することもなく、湿布剤の形状の安定化を図ることができる。
【図面の簡単な説明】
【図１】本発明に係る横型包装用袋体の一実施例を示す正面図である。
【図２】本発明に係る横型包装用袋体に封入される湿布剤の一例を示す正面図である。
【図３】（ａ）は本発明に係る横型包装用袋体のジップを開いた状態を示す斜視図、（ｂ）は（ａ）のＸ−Ｘ断面図である。
【符号の説明】
１  包装用袋体
２  ジップ
４  引裂予定部
１１  長辺側
１２  短辺側
１３  シール部
５０  湿布剤
５１  長辺側
５２  短辺側
５３  切り込み
Ａ    包装用袋体の開口面積
Ｂ    包装用袋体の内部面積
Ｃ    湿布剤の面積
【図１】
2004352297.tif 000003
【図２】
2004352297.tif 000004
【図３】
2004352297.tif 000005